(57)【要約】【課題】電動ブラシレスウォータポンプにおいて、電解コンデンサ等の、耐熱性が比較的劣る回路素子に対する伝熱を抑制するとともに、外部の電源電力回路等との接続に用いる回路の接続信頼性を向上させる。【解決手段】回路基板３０をハウジング１０とエンドカバー２０とによって挟み、回路基板３０によって内部空間をハウジング側内部空間１３とエンドカバー側内部空間２３とに仕切るとともに、回路基板３０のうち内部空間から突出した部分に、所定の挿抜方向Ｘの電気コネクタ３７を回路基板３０と一体的に形成する。【選択図】            図１
2004162541.tif 000002
【特許請求の範囲】
【請求項１】
内部にブラシレスモータを収容する略筒状のハウジングと、該ハウジングの一方の端面を覆うように該ハウジングに対して軸方向に連結されたエンドカバーと、前記ハウジングおよび前記エンドカバーによって覆われた内部空間に設けられ、前記ブラシレスモータを制御する制御回路が形成された回路基板とを備えた電動ブラシレスウォータポンプにおいて、
前記基板が、前記ハウジングの周壁端面と前記エンドカバーの周壁端面とによって該基板の表裏両面から挟持されて、前記内部空間が、前記ハウジング側の内部空間と前記エンドカバー側の内部空間とに仕切られるともに、
前記基板のうち、前記ハウジングおよび前記エンドカバーの外部に突出した部分に、対応する外部の電気コネクタと接続される電気コネクタが、その挿抜方向が、前記ハウジングと前記エンドカバーとによる前記基板の挟持方向に一致するように、前記基板と一体的に形成されたことを特徴とする電動ブラシレスウォータポンプ。
【請求項２】
前記回路基板は、前記ハウジングおよび前記エンドカバーと共締めされていることを特徴とする請求項１に記載の電動ブラシレスウォータポンプ。
【発明の詳細な説明】
【０００１】
【発明の属する技術分野】
本発明は、電動ブラシレスウォータポンプに関し、詳細には、ブラシレスモータが内蔵された電動部分の改良に関するものである。
【０００２】
【従来の技術】
例えば自動車用部品として用いられる電動ウォータポンプとして、ハウジング内部にブラシレスモータを内蔵した電動ブラシレスウォータポンプが知られている（特許文献１）。
【０００３】
このブラシレスモータは、ブラシや整流子などの接触部に代えて、電子的に位置制御を行う制御回路を内蔵した一種のＤＣモータであり、
（１）電気的ノイズや機械的ノイズが小さい、
（２）信頼性が高く寿命が長い、
（３）高速化が容易、
（４）速度制御が容易、
という長所を有している。
【０００４】
ここで、この電動ブラシレスウォータポンプの一例を、図４に示す断面図に基づいて説明する。なお、この電動ブラシレスウォータポンプ１００のうち、作動流体に対して直接作用する羽根車６０等のポンプ部については、二点鎖線によって概略のみを図示し、電動部については実線で示している。
【０００５】
図示の電動ブラシレスウォータポンプ１００は、内部にブラシレスモータ５０を収容する略円筒状のハウジング１０と、このハウジング１０の一方の端面１２を覆うように、このハウジング１０に対して軸方向に連結されたエンドカバー２０と、ハウジング１０およびエンドカバー２０によって覆われた内部空間１３，２３に設けられ、ブラシレスモータ５０を制御する制御回路が形成された回路基板３０とを備えている。
【０００６】
ここで、ハウジング１０とエンドカバー２０とは、各周壁１１，２１の端面１２，２２同士が突き合わされている。
【０００７】
また、回路基板３０の端縁と、ハウジング１０の周壁１１内面およびエンドカバー２０の周壁２１内面との間には、隙間が形成されている。
【０００８】
したがって、ハウジング１０側の内部空間１３とエンドカバー２０側の内部空間２３とは連通している。
【０００９】
この回路基板３０は、パワーフィルタとして電解コンデンサ３１などの回路素子を備えるとともに、外部の電源電力の供給や制御信号等の送受信のために外部の電気コネクタ２００に接続される電気コネクタ３７から延びた配線３６が半田付けされている。
【００１０】
なお、配線３６は、エンドカバー２０の壁面に設けられたグロメット３８の孔を水密に通過して、電動ブラシレスウォータポンプ１００の内部から外部に引き出されている。
【００１１】
また、回路基板３０上には、放熱のためのアルミ合金製等の放熱フィン４１が設けられており、エンドカバー２０と放熱フィン４１との間は図示しないシール剤によって水密が保たれてる。
【００１２】
さらに、この電動ブラシレスウォータポンプ１００の内部空間１３，２３には、ポッティング剤が充填されて、ブラシレスモータ５０の発熱Ｈを、周壁１１，２１に伝熱させやすくし、放熱性能を高めている。
【特許文献１】
特開２００１−２９５７９７号公報
【００１３】
【発明が解決しようとする課題】
ところで、電動ブラシレスウォータポンプのブラシレスモータ１００の発熱Ｈは上述したように大きく、この発熱Ｈが、回路基板３０上の電解コンデンサ３１等パワーフィルタに伝熱しにくくするため、これら電解コンデンサ３１等は、回路基板３０のブラシレスモータ５０側の面とは反対側の面、すなわちエンドカバー２０側の面に設けられている。
【００１４】
しかし、ハウジング１０側の内部空間１３とエンドカバー２０側の内部空間２３とは連通しているため、ブラシレスモータ５０の発熱Ｈは、ポッティング剤を介して、エンドカバー２０側の内部空間２３に回り込み、電解コンデンサ３１等に伝熱している。
【００１５】
また、ハウジング１０やエンドカバー２０は金属製であるため、樹脂やガラスエポキシ等と比べて伝熱しやすいが、ブラシレスモータ５０からの発熱Ｈは、このブラシレスモータ５０に位置的に近いハウジング１０にまず伝熱し、このハウジング１０から、端面１２，２２を介してエンドカバー２０に伝熱する。
【００１６】
そして、エンドカバー２０の壁面からの伝熱Ｈ′も、電解コンデンサ３１等に伝熱する。
【００１７】
したがって、従来の電動ブラシレスウォータポンプにおける電解コンデンサ３１等は、熱的負荷が大きく、ポンプの性能や寿命を低下させる一因となっている。
【００１８】
加えて、グロメット３８を通過して外部に引き出されている配線３６は、電気コネクタ３７，２００の接続作業時やその後の振動等によって振られやすく、回路基板３０上に配線３６を固着させている半田に負荷が加わりやすい構造となっている。
【００１９】
このため、大きな負荷が配線に加わった場合、半田クラックが生じて、電気的接続の信頼性が低下する虞もある。
【００２０】
本発明は上記事情に鑑みなされたものであり、電解コンデンサ等の、耐熱性が比較的劣る回路素子に対する伝熱を抑制するとともに、外部の電源電力回路等との接続に用いる回路の接続信頼性を向上させることができる電動ブラシレスウォータポンプを提供することを目的とする。
【００２１】
【課題を解決するための手段】
上記課題を解決するため、本発明に係る電動ブラシレスウォータポンプは、回路基板をハウジングとエンドカバーとによって挟み、回路基板によって内部空間をハウジング側内部空間とエンドカバー側内部空間とに仕切るとともに、内部空間から突出した回路基板部分に、所定の挿抜方向の電気コネクタを回路基板と一体的に形成したものである。
【００２２】
すなわち、本発明の請求項１に係る電動ブラシレスウォータポンプは、内部にブラシレスモータを収容する略筒状のハウジングと、該ハウジングの一方の端面を覆うように該ハウジングに対して軸方向に連結されたエンドカバーと、前記ハウジングおよび前記エンドカバーによって覆われた内部空間に設けられ、前記ブラシレスモータを制御する制御回路が形成された回路基板とを備えた電動ブラシレスウォータポンプにおいて、前記回路基板が、前記ハウジングの周壁端面と前記エンドカバーの周壁端面とによって該回路基板の表裏両面から挟持されて、前記内部空間が、前記ハウジング側の内部空間と前記エンドカバー側の内部空間とに仕切られるともに、前記回路基板のうち、前記ハウジングおよび前記エンドカバーの外部に突出した部分に、対応する外部の電気コネクタと接続される電気コネクタが、その挿抜方向が、前記ハウジングと前記エンドカバーとによる前記回路基板の挟持方向に一致するように、前記回路基板と一体的に形成されたことを特徴とする。
【００２３】
ここで、少なくともエンドカバーは金属製であり、回路基板は、このエンドカバーよりも熱伝導性が低い非金属製であり、例えばガラスエポキシ製のものが適用される。
【００２４】
このように構成された本発明の請求項１に係る電動ブラシレスウォータポンプによれば、回路基板が、ハウジングの周壁端面とエンドカバーの周壁端面とによってこの回路基板の表裏両面から挟持されて、内部空間が、ハウジング側の内部空間とエンドカバー側の内部空間とに仕切られているため、ハウジング側の内部空間に設けられているブラシレスモータの発熱は、従来のように、ハウジング側の内部空間とエンドカバー側の内部空間との連通部分を介してエンドカバー側の内部空間に伝熱することはなく、仕切りとなっている回路基板によって遮熱され、エンドカバー側の内部空間であるエンドカバー側に向いた回路基板面に設けられた回路素子には伝熱しにくいものとなる。
【００２５】
また、ハウジングの周壁とエンドカバーの周壁との間には、回路基板が挟まれているため、ハウジングとエンドカバーとは直接接触していない。
【００２６】
したがって、ハウジングの周壁からの熱は、エンドカバーよりも熱伝導性の低い回路基板にまず伝熱し、次いで、この回路基板からエンドカバーに伝熱されるため、エンドカバーへの伝熱は従来よりも低くなり、エンドカバーから回路素子への伝熱を抑制することができる。
【００２７】
また、外部の電源電力等との接続用の電気コネクタが、ハウジングの周壁端面とエンドカバーの周壁端面とによって挟持された回路基板のうち、ハウジングおよびエンドカバーの外部に突出した部分に、この回路基板と一体的に形成されているため、この電気コネクタの振れは、回路基板自体の振れとなり、電気コネクタの配線が単独で振れることがなく、したがって、回路基板と配線との間で相対的な動きがない。
【００２８】
よって、配線と回路基板とを固着する半田に負荷が掛かることがなく、外部の電源電力回路等との接続に用いる回路の接続信頼性を向上させることができる。
【００２９】
しかも、この回路基板と一体的に形成された電気コネクタは、接続される（対応する）外部の電気コネクタとの挿抜方向が、ハウジングとエンドカバーとによる回路基板の挟持方向に一致するように形成されているため、挿抜方向はこの基板の型抜き方向と一致し、電気コネクタのハウジングの成形の際に、特別な中子等を使用する必要がなく、製造コストを低減させることができる。
【００３０】
また、本発明の請求項２に係る電動ブラシレスウォータポンプは、請求項１に係る電動ブラシレスウォータポンプにおいて、前記回路基板は、前記ハウジングおよび前記エンドカバーと共締めされていることを特徴とする。
【００３１】
このように構成された請求項２に係る電動ブラシレスウォータポンプによれば、回路基板は、この回路基板を挟持しているハウジングおよびエンドカバーに共締めされているため、ハウジングとエンドカバーとの締付けと同時に回路基板もこれらハウジングおよびエンドカバーに挟持されるため、回路基板を別途ハウジングやエンドカバーに締め付けるよりも、回路基板の取付け作業効率を向上させることができる。
【００３２】
また、ハウジングとエンドカバーとの締付けが緩まない限り、回路基板は、ハウジングとエンドカバーとの間から脱落することがなく、回路基板の取付け信頼性も向上させることができる。
【００３３】
【発明の実施の形態】
以下、本発明に係る電動ブラシレスウォータポンプの具体的な実施の形態について、図面を用いて説明する。
【００３４】
図１は、本発明の一実施形態に係る電動ブラシレスウォータポンプの概略構成を示す縦断面図である。
【００３５】
図示の電動ブラシレスウォータポンプ１００は、内部にブラシレスモータ５０を収容する略円筒状のハウジング１０と、このハウジング１０の一方の端面１２を覆うように、このハウジング１０に対して軸方向に連結されたエンドカバー２０と、ハウジング１０およびエンドカバー２０によって覆われた内部空間１３，２３に設けられ、ブラシレスモータ５０を制御する制御回路が形成された回路基板３０と、作動流体に対して直接作用する羽根車６０等のポンプ部とを備えている。
【００３６】
なお、本実施形態の電動ブラシレスウォータポンプ１００のうちポンプ部については、従来のものと同様であるため、図示を簡略化するため二点鎖線によって概略のみを図示している。
【００３７】
また、回路基板３０は、従来の回路基板よりもサイズが大きく、周縁がハウジング１０の周壁１１およびエンドカバー２０の周壁２１まで拡大されて、この周縁は、他の一般平面部３３（図２参照）に比べて厚く形成された膨厚部３２となっている。
【００３８】
そして、この短円筒状の膨厚部３２が、ハウジング１０の周壁１１の端面１２とエンドカバー２０の周壁２１の端面２２とによって、回路基板３０の表裏両面から挟まれた構造となっている。
【００３９】
このため、ハウジング１０側の内部空間１３とエンドカバー２０側の内部空間２３とは、この回路基板３０によって、２つの空間として完全に仕切られており、回路基板３０の一般平面部３３のうち、エンドカバー２０側の内部空間２３となる側の面に、パワーフィルタとしての電解コンデンサ３１等回路素子が配置されている。
【００４０】
また、回路基板３０はその一部が、ハウジング１０およびエンドカバー２０の外部に突出して形成されており、この突出した部分に、対応する外部の電気コネクタ２００と接続される電気コネクタ３７が形成されている。
【００４１】
そして、この電気コネクタ３７は、外部の電気コネクタ２００との挿抜方向Ｘが、ハウジング１０とエンドカバー２０とによる回路基板３０の挟持方向に一致するように形成されており、一端が回路基板３０上に半田付けされた配線が、コンタクトとして電気コネクタ３７の内部まで延設されている。
【００４２】
なお、回路基板３０は詳しくは、一般平面部３３のうち中央部に略矩形の窓３４が形成されており、この窓３４を塞ぐ矩形の基板４０を備えている。
【００４３】
この基板４０は、基板本体４２と、基板本体４２上に設けられたアルミ合金製の放熱フィン４１とを備えており、図１に示すように、この放熱フィン４１の根元部とエンドカバー２０とは接触している。
【００４４】
なお、この接触している放熱フィン４１の根元部とエンドカバー２０との際の部分には、図示しないシール剤が塗布されて、水密が保たれている。
【００４５】
また、上述したハウジング１０およびエンドカバー２０は金属製であり、回路基板３０は、基板４０も含めて（放熱フィン４１を除く）、熱伝導性が金属よりも低いガラスエポキシ製である。
【００４６】
なお、回路基板３０は、図２のＡ−Ａ線断面である図３に示すように、短円筒状の膨厚部３２の２カ所に形成された貫通孔３２ａを通るネジ部材７０によって、ハウジング１０およびエンドカバー２０と共締めされて、これらハウジング１０およびエンドカバー２０に挟持されている。
【００４７】
また、この電動ブラシレスウォータポンプ１００の内部空間１３，２３には、ポッティング剤が充填されて、ブラシレスモータ５０の発熱Ｈを周囲に拡散させやすくし、ブラシレスモータ５０の放熱性能を高めている。
【００４８】
次に、本実施形態に係る電動ブラシレスウォータポンプ１００の作用について説明する。
【００４９】
まず、この電動ブラシレスウォータポンプ１００の電気コネクタ３７に、外部の電源電力を供給するとともにこの電動ブラシレスウォータポンプ１００の運転制御用の信号を送受信するために、これら電源電力用の配線および送受信配線が接続された外部の電気コネクタ２００が、矢印Ｘ方向に嵌挿されて、これら外部の配線類と、電動ブラシレスウォータポンプ１００の回路基板３０とが電気的に接続される。
【００５０】
このとき、電気コネクタ３７には、外部の電気コネクタ２００との接続のために、矢印Ｘ方向に嵌挿の荷重が加わるが、この電気コネクタ３７は、回路基板３０と一体的に形成されており、しかも、この電気コネクタ３７の根元部分である膨厚部３２が、ハウジング１０とエンドカバー２０とによって挟持されているため、電気コネクタ３７の剛性は高いものとなっており、嵌挿の荷重によって大きな変形を生じることはない。
【００５１】
また、電気コネクタ３７の内部に延設されている配線も、回路基板３０に対して相対的な変位を生じない。
【００５２】
そして、電力供給された回路基板３０の制御によって、ブラシレスモータ５０が駆動され、羽根車６０が回転するが、このときブラシレスモータ５０は発熱する。
【００５３】
この発熱Ｈは、ハウジング１０の内部空間１３に充填されたポッティング剤に伝熱され、このポッティング剤は熱せられるが、回路基板３０（基板４０を含む。以下、同じ。）が、ハウジング１０側の内部空間１３とエンドカバー２０側の内部空間２３との仕切りとなっているため、ハウジング１０の内部空間１３に充填されたポッティング剤の発熱Ｈは、この回路基板３０によって遮熱されて、電解コンデンサ３１等の回路素子が配設されている側の内部空間であるエンドカバー２０側の内部空間２３には伝熱しにくいものとなっている。
【００５４】
したがって、ポッティング剤を介しての回路素子への伝熱量は、従来よりも低減される。
【００５５】
また、ブラシレスモータ５０の発熱Ｈは、ハウジング１０の周壁１１にも伝熱し、このハウジング１０の周壁に接触している部材にも伝わる。
【００５６】
ここで、回路基板３０の膨厚部３２は、ハウジング１０の周壁１１の端面１２と直接接触しているため、膨厚部３２にもハウジング１０の周壁から発熱Ｈが伝熱するが、回路基板３０はガラスエポキシ製であるため、ハウジング１０やエンドカバー２０のように熱伝導性は高くなく、したがって、回路基板３０の一般平面部３３に配設された電解コンデンサ３１等回路素子に対する伝熱量は、比較的低い。
【００５７】
そして、この膨厚部３２は、エンドカバー２０の周壁２１の端面２２に接触しているため、この膨厚部３２からエンドカバー２０への伝熱量はさらに小さくなり、エンドカバー２０から、このエンドカバー２０側の内部空間２３に充填されたポッティング剤を介しての回路素子への伝熱量は、従来の電動ブラシレスウォータポンプに比べて著しく低減される。
【００５８】
以上の作用により、回路基板３０上に設けられた電解コンデンサ３１等回路素子への伝熱量は従来よりも軽減され、回路素子が受ける熱負荷を低減することができる。
【００５９】
したがって、従来の電動ブラシレスウォータポンプよりも、回路素子が受ける熱的負荷を低減して、電動ブラシレスウォータポンプ１００の性能や寿命が低下するのを抑制することができる。
【００６０】
なお、回路素子がエンドカバー２０から受ける発熱Ｈ′を低減することができるため、エンドカバー２０の端面を、図４に示した従来の電動ブラシレスウォータポンプよりも、コンデンサ３１等に近接させることも可能となり、エンドカバー２０側の内部空間２３の容積を低減することができ、エンドカバー２０を製造する材料費の低減や充填するポッティング剤の低減によって、製造コストを低減することもできる。
【００６１】
また、前述したように、電気コネクタ３７の内部に延設されている配線は、回路基板３０に対して相対的な変位を生じないため、配線と回路基板３０とを固着する半田に負荷が掛かることがなく、外部の電源電力回路等との接続に用いる回路の接続信頼性を向上させることができる。
【００６２】
なお、この回路基板３０と一体的に形成された電気コネクタ３７は、接続される外部の電気コネクタ２００との挿抜方向Ｘが、ハウジング１０とエンドカバー２０とによる回路基板３０の挟持方向に一致するように形成されているため、挿抜方向Ｘはこの回路基板３０の型抜き方向と一致し、電気コネクタ３７のハウジングの成形の際に、特別な中子等を使用する必要がなく、この点からも、製造コストを低減させることができる。
【００６３】
このように、本実施形態に係る電動ブラシレスウォータポンプ１００によれば、電解コンデンサ３１等の、耐熱性が比較的劣る回路素子に対する伝熱を抑制するとともに、外部の電源電力回路等との接続に用いる回路の接続信頼性を向上させることができる。
【００６４】
なお、本実施形態に係る電動ブラシレスウォータポンプ１００は、回路基板３０が、ハウジング１０およびエンドカバー２０と共締めされているため、ハウジング１０とエンドカバー２０との締付けと同時に回路基板３０もこれらハウジング１０およびエンドカバー２０に挟持されるため、回路基板３０を別途ハウジング１０やエンドカバー２０に締め付けるよりも、回路基板３０の取付け作業効率を向上させることができる。
【００６５】
また、ハウジング１０とエンドカバー２０との締付けが緩まない限り、回路基板３０は、ハウジング１０とエンドカバー２０との間から脱落することがなく、回路基板３０の取付け信頼性も向上させることができる。
【００６６】
【発明の効果】
以上説明したように、本発明に係る電動ブラシレスウォータポンプによれば、回路基板がハウジング側内部空間とエンドカバー側内部空間とに仕切っているため、ハウジング側内部空間に収容されているブラシレスモータからの発熱が、この回路基板によって遮蔽されて、回路基板のエンドカバー側の面に配された制御回路の素子に対する断熱性が高められ、しかも、内部空間から突出した回路基板部分に、所定の挿抜方向の電気コネクタが基板と一体的に形成されているため、剛性が向上し、電気コネクタのコンタクトに対応した回路基板状の半田への影響を低減させることができる。
【００６７】
すなわち、本発明の請求項１に係る電動ブラシレスウォータポンプによれば、回路基板が、ハウジングの周壁端面とエンドカバーの周壁端面とによってこの回路基板の表裏両面から挟持されて、内部空間が、ハウジング側の内部空間とエンドカバー側の内部空間とに仕切られているため、ハウジング側の内部空間に設けられているブラシレスモータの発熱は、従来のように、ハウジング側の内部空間とエンドカバー側の内部空間との連通部分を介してエンドカバー側の内部空間に伝熱することはなく、仕切りとなっている回路基板によって遮熱され、エンドカバー側の内部空間であるエンドカバー側に向いた回路基板面に設けられた回路素子には伝熱しにくいものとなる。
【００６８】
また、ハウジングの周壁とエンドカバーの周壁との間には、回路基板が挟まれているため、ハウジングとエンドカバーとは直接接触していない。
【００６９】
したがって、ハウジングの周壁からの熱は、エンドカバーよりも熱伝導性の低い回路基板にまず伝熱し、次いで、この回路基板からエンドカバーに伝熱されるため、エンドカバーへの伝熱は従来よりも低くなり、エンドカバーから回路素子への伝熱を抑制することができる。
【００７０】
また、外部の電源電力等との接続用の電気コネクタが、ハウジングの周壁端面とエンドカバーの周壁端面とによって挟まれて挟持された回路基板のうち、ハウジングおよびエンドカバーの外部に突出した部分に、この回路基板と一体的に形成されているため、この電気コネクタの振れは、回路基板自体の振れとなり、電気コネクタの配線が単独で振れることがなく、したがって、回路基板と配線との間で相対的な動きがない。
【００７１】
よって、配線と回路基板とを固着する半田に負荷が掛かることがなく、外部の電源電力回路等との接続に用いる回路の接続信頼性を向上させることができる。
【００７２】
しかも、この回路基板と一体的に形成された電気コネクタは、接続される（対応する）外部の電気コネクタとの挿抜方向が、ハウジングとエンドカバーとによる回路基板の挟持方向に一致するように形成されているため、挿抜方向はこの基板の型抜き方向と一致し、電気コネクタのハウジングの成形の際に、特別な中子等を使用する必要がなく、製造コストを低減させることができる。
【００７３】
また、本発明の請求項２に係る電動ブラシレスウォータポンプによれば、回路基板は、この回路基板を挟持しているハウジングおよびエンドカバーに共締めされているため、ハウジングとエンドカバーとの締付けと同時に回路基板もこれらハウジングおよびエンドカバーに挟持されるため、回路基板を別途ハウジングやエンドカバーに締め付けるよりも、回路基板の取付け作業効率を向上させることができる。
【００７４】
また、ハウジングとエンドカバーとの締付けが緩まない限り、回路基板は、ハウジングとエンドカバーとの間から脱落することがなく、回路基板の取付け信頼性も向上させることができる。
【図面の簡単な説明】
【図１】本発明の一実施形態に係る電動ブラシレスウォータポンプの要部を示す断面図である。
【図２】図１に示した電動ブラシレスウォータポンプの回路基板を示す図である。
【図３】図２におけるＡ−Ａ線断面を示す断面図である。
【図４】従来の電動ブラシレスウォータポンプの要部を示す断面図である。
【符号の説明】
１０  ハウジング
１１，２１，３２  周壁
１２，２２  端面
１３，２３  内部空間
２０  エンドカバー
３０  第一回路基板
３１  電解コンデンサ
３２  膨厚部
３２ａ  締結孔
３３，４２  基板本体
３４  切欠き孔
３６  リード線
３７，２００  電気コネクタ
４０  第二回路基板
４１  ヒートシンク
５０  電磁コイル
６０  羽根車
１００  電動ブラシレスウォータポンプ
Ｈ，Ｈ′  熱
【図１】
2004162541.tif 000003
【図２】
2004162541.tif 000004
【図３】
2004162541.tif 000005
【図４】
2004162541.tif 000006